【手続補正書】
【提出日】平成15年9月12日(2003.9.12)
【手続補正１】
【補正対象書類名】明細書
【補正対象項目名】全文
【補正方法】変更
【補正の内容】
【発明の名称】出窓
【特許請求の範囲】
【請求項１】中屋根と、該中屋根上にあって巻胴を収容したシャッターボックスとの２重構造の屋根を有し、
前記中屋根は、出窓本体の正面部および両側面部の各上枠から、出窓本体の躯体への取付部にわたって覆う構造を有する
ことを特徴とする出窓。
【請求項２】中屋根と、該中屋根上にあって巻胴を収容したシャッターボックスとの２重構造の屋根を有し、
前記中屋根は、出窓本体の正面部および両側面部の各上枠から、出窓本体の躯体への取付部にわたって覆う構造を有し、
該中屋根と前記シャッターボックスとは別体をなし、中屋根に対してシャッターボックスが後付けされる
ことを特徴とする出窓。
【請求項３】中屋根と、該中屋根上にあって巻胴を収容したシャッターボックスとの２重構造の屋根を有し、
前記中屋根は、出窓本体の正面部および両側面部の各上枠から、出窓本体の躯体への取付部にわたって覆う構造を有し、
該中屋根の両側部における中屋根とシャッターボックスとの間に、両者間に浸入した雨水を外部に流下させる水切りを設けた
ことを特徴とする出窓。
【請求項４】中屋根と、該中屋根上にあって巻胴を収容したシャッターボックスとの２重構造の屋根を有し、
前記中屋根は、出窓本体の正面部および両側面部の各上枠から、出窓本体の躯体への取付部にわたって覆う構造を有し、
該中屋根の両側の躯体への取付け用袖部に、ブラケット受けを設け、該ブラケット受けに、シャッターボックス取付け用係止片を有するブラケットを嵌め込み、
該ブラケットの係止片に、シャッターボックスの躯体への取付け部に設けた係止部を係止させてシャッターボックスを躯体に位置決めする
ことを特徴とする出窓。
【発明の詳細な説明】
【０００１】
【発明の属する技術分野】
本発明は、シャッター付き出窓に関する。
【０００２】
【従来の技術】
従来のシャッター付き出窓は、実公昭６３−４３３３６号に記載のように、出窓の天板部の上部に、シャッタースラットを巻く巻銅を収容したシャッターボックスを取付けた構造を有している。
【０００３】
【発明が解決しようとする課題】
本発明は、シャッター付き出窓において、前記従来のものより防水性および断熱性を向上させた出窓を提供することを目的とする。
【０００４】
【課題を解決するための手段】
本発明は、中屋根と、該中屋根上にあって巻胴を収容したシャッターボックスとの２重構造の屋根を有し、前記中屋根は、出窓本体の正面部および両側面部の各上枠から、出窓本体の躯体への取付部にわたって覆う構造を有することを特徴とする（請求項１）。
【０００５】
また、本発明は、中屋根と、該中屋根上にあって巻胴を収容したシャッターボックスとの２重構造の屋根を有し、前記中屋根は、出窓本体の正面部および両側面部の各上枠から、出窓本体の躯体への取付部にわたって覆う構造を有し、該中屋根と前記シャッターボックスとは別体をなし、中屋根に対してシャッターボックスが後付けされることを特徴とする（請求項２）。
【０００６】
また、本発明は、中屋根と、該中屋根上にあって巻胴を収容したシャッターボックスとの２重構造の屋根を有し、前記中屋根は、出窓本体の正面部および両側面部の各上枠から、出窓本体の躯体への取付部にわたって覆う構造を有し、該中屋根の両側部における中屋根とシャッターボックスとの間に、両者間に浸入した雨水を外部に流下させる水切りを設けたことを特徴とする（請求項３）。
【０００７】
また、本発明は、中屋根と、該中屋根上にあって巻胴を収容したシャッターボックスとの２重構造の屋根を有し、前記中屋根は、出窓本体の正面部および両側面部の各上枠から、出窓本体の躯体への取付部にわたって覆う構造を有し、該中屋根の両側の躯体への取付け用袖部に、ブラケット受けを設け、該ブラケット受けに、シャッターボックス取付け用係止片を有するブラケットを嵌め込み、ブラケットの係止片に、シャッターボックスの躯体への取付け部に設けた係止部を係止させてシャッターボックスを躯体に位置決めすることを特徴とする（請求項４）。
【０００８】
【発明の実施の形態】
図１は本発明による出窓の一実施例を示す斜視図、図２は該出窓の一部省略分解斜視図である。図１、図２において、１は出窓本体、２は中屋根、３はシャッターボックスである。
【０００９】
出窓本体１は、図１、図２に示すように、いずれもアルミニウム合金製押出形材でなる左右の縦枠４と、左右の方立５と、縦枠４と方立５の上下にそれぞれ結合される上枠６、下枠７と、左右の方立５、５間に結合される上枠９および下枠１０とにより、これらがタッピングホールやその中にねじ込まれるねじ等により結合されて枠組みされる。
【００１０】
図３の横断面図および図４の縦断面図に示すように、縦枠４は躯体２３にねじ等の固定具３７により固定され、縦枠４、方立５、上下の枠６、７内にガラスパネルからなる嵌め殺し窓８が取付けられる。また、該嵌め殺し窓８の室外側には、縦枠４近傍に設けられたピボット１２を中心として、後述のアーム３８により開閉されるように開き雨戸１３が取付けられる。該開き雨戸１３は、図１〜図４に示すように、アルミニウム合金製の縦框１３ａ、上框１３ｂ、下框１３ｃで組まれた枠内に鋼板等でなる複数枚のパネル１３ｄを組み込んでなるものである。
【００１１】
図５の横断面図および図６の縦断面図に示すように、左右の方立５、５と上枠９と下枠１０で組まれた枠組み内には、開閉自在な窓を構成する２枚の引き違い障子１１が装着される。該引き違い障子１１の室外側には網戸３９が装着される。また、各方立５の室外側には、アルミニウム合金製押出形材でなるガイドレール１４、１４が、方立５に組み合わされてねじ等の固定具４２により固定して取付けられる。ガイドレール１４には、図７に示すように、シャッターボックス３の側板部に両端の軸部が取付けられた巻胴４０に巻取り繰り出しされるシャッタースラット４１の両端が上下動自在に装着される。本例の巻胴４０は、シャッタースラット４１を巻き上げるためのばねを内蔵したものであるが、この他、電動式や紐やチェーン操作式のものを用いることもできる。
【００１２】
図４、図７に示すように、中屋根２は、耐候塗装を施した鋼鈑１５の室外側と側面部にアルミニウム合金製押出形材１６、２７をねじ等の固定具１７により固定し、出窓の天板１８の室外側端部および側部を、それぞれ前記室外側押出形材１６と側面部の押出形材２７に嵌め、発泡材等の断熱材１９を天板１８と鋼板１５との間に入れ、引き違い障子１１の上枠９を天板１８にねじ等の固定具２０により固定してなる。該中屋根２は、上部および側部に突設した鍔２１をねじ等の固定具２２により躯体２３に固定すると共に、天板１８の室内側を、天板見切り縁２４により躯体２３にねじ等の固定具２５によって固定して取付ける。これにより、中屋根２は、天板１８と共に、出窓本体１の正面部および両側面部の各上枠６、９から、出窓本体１の躯体への取付部にわたって覆う構造を有する。
【００１３】
図８（Ａ）、（Ｂ）の分解斜視図に示すように、中屋根２の両側袖部３０には、鋼板製の上面開口のブラケット受け３１を、袖部３０の下縁に設けた切り込み３０ａに、ブラケット受け３１の背面の突起３１ａを嵌合して位置決めした後、溶接等により、あるいはねじ等の固定具によって袖部３０と共に躯体２３に固定して取付ける。３２はシャッターボックス取付けのためのブラケットであり、該ブラケット３２は前記ブラケット受け３１に上から嵌め込んで位置決めされ、ねじ等の固定具３３を袖部３０の孔に通して躯体２３に挿入することにより固定される。ブラケット３２は上下に間隔を有して２つの係止片３２ａ、３２ｂを切り起こし状にかつ上向きに形成している。
【００１４】
図８（Ａ）、図９に示すように、シャッターボックス３は、両側に内向きに折り曲げて形成した取付け片３４を有し、該取付け片３４には、前記係止片３２ａ、３２ｂにそれぞれ嵌合し係止するテーパー状下開きの切り込みでなる係止部３４ａ、３４ｂを設けている。このように係止部３４ａ、３４ｂをテーパー状に形成しているのは、シャッターボックス３をブラケット３２に取付ける際に、シャッターボックス３が横にずれても、シャッターボックス３が収まった後は正規の位置にシャッターボックス３を寄せるためである。
【００１５】
前記袖部３０には、前記ブラケット受け３１あるいは袖部３０に接着あるいはねじ付けする等の手段により、プラスチック成形体でなる水切り３５を設けている。該水切り３５は、中屋根２の側面部２ａとシャッターボックス３の側面部３ａとの間に浸入した水を集めるために、これらの側面部２ａ、３ａ間の隙間の平面形状に合致した上面開口の溝３５ａと、溝３５ａに集められた水を室外側に排出するための溝３５ｂとを有する。
【００１６】
８０はシャッターボックス３の側板部３ａの下部内面に固定したゴム等でなる端末ピースであり、該端末ピース８０は、シャッターボックス３をブラケット３２にセットすると、水切り３５と袖部３０と側板部３ａとの間の隙間を塞ぎ、これにより、雨水の下からの吹き込みを防ぐと共に、建物外壁内への水の浸入を防ぐものである。
【００１７】
図１０は前記アーム３８の取付け構造を示す斜視図、図１１（Ａ）はアーム３８の平面図、同（Ｂ）、（Ｃ）はそれぞれその両端部の側面図、同（Ｄ）は（Ｂ）のＥ−Ｅ断面図、図１２は下枠１０におけるアーム３８の操作部の取付け構造を示す縦断面図、図１３は下枠１０の開き雨戸１３の操作部を示す平面図である。
【００１８】
図１０および図１１（Ａ）、（Ｃ）に示すように、アーム３８の開き雨戸１３との連結部には、軸４４によりブラケット４５を回動自在に取付け、該ブラケット４５を開き雨戸１３の下框１３ｃにねじ４６により固定する。
【００１９】
アーム３８の他端部に設ける操作部（つまみ５４）は、図５に示すようにシャッタースラット４１より室内側に取付けられ、次のように構成される。図１２に示すように、下枠１０には、空洞状のガイド部４７を設け、該ガイド部４７内に合成樹脂製の摺動体４８を嵌める。摺動体４８は、下面開口の中空体であり、内部に上下動自在にコマ５０を嵌め、摺動体４８内に縦向きに固定したねじロッド５１にばね５２を巻き、該ばね５２によりコマ５０を上向きに付勢している。該コマ５０には、Ｌ字形に折り曲げた金具５３を固定し、該金具５３はその垂直部を摺動体４６から上方に突出させてその先端につまみ５４を取付け、該金具５３の水平部は摺動体４８の側面の切欠より側方に突出させ、その突出した部分に、前記アーム３８の操作側端部を止め具５５により回動自在に連結する。図１２、図１３に示すように、下枠１０には、それぞれ開き雨戸１３を開いた状態と閉じた状態において、前記止め具５５が嵌め込まれる係止孔５６、５７が設けられる。５８は下枠１０の上面に設けられ、金具５３の垂直部を摺動自在に案内するガイド溝である。
【００２０】
図１４（Ａ）は前記開き雨戸１３のピボット１２の構造を示す端面図、同（Ｂ）はその底面図、図１５（Ａ）はピボットの分解斜視図、同（Ｂ）はその正面図、同（Ｃ）はその側面図である。図１４、図１５に示すように、ピボット１２には、コ字形の金具６０を嵌着し、該ピボット１２にＵ字形の合成樹脂製キャップ６１の孔６２を嵌着し、該キャップ６１の鍔６１ａと前記コ字形の金具６０の鍔６０ａを結合用ピース６３により挟み、該ピース６３の先端の把持部６３ａを該ピボット１２に先端を嵌めて止める。さらに下枠７に設けた受具６５に載せるリング６４をピボット１２に嵌着する。
【００２１】
このピボット１２は、縦框１３ａの上下端のホロー部に嵌着され（ただし、上端に嵌着されるものはリング６４は不要である）、固定具６７により縦框１３ａに固定されるが、この時、縦框１３ａの端部をキャップ６１の鍔６１ｂが覆い、かつ、キャップ６１の鍔６１ｂが縦框１３ａに沿って設けた気密材６６の押えの役目を兼ね、これにより部品点数の低減を図っている。前記結合用ピース６３は、縦框１３ａに嵌着される金具６０に対してキャップ６１の回動を阻止する役目も果たし、これにより気密材６６の端部の押え作用が確実に行えるようにしている。
【００２２】
この出窓は、出窓本体１を躯体２３に取付けた後、図７に示すように、中屋根２を天板１８と共に躯体２３および出窓本体１に固定具２０、２２、２５により取付け、その後シャッターボックス３を中屋根２に被せるようにして取付ける。この取付けは、図８、図９に示すように、ブラケット受け３１にブラケット３２を嵌め込み、ブラケット３２を固定具３３により躯体２３に固定する。そして、シャッターボックス３をその取付け片３４の係止部３４ａ、３４ｂをブラケット３２の係止片３２ａ、３２ｂにそれぞれ係止させてセットする。そして、シャッターボックス３の鍔部６８をねじ等の固定具６９によって固定することにより取付ける。
【００２３】
この出窓においては、シャッタースラット４１は、方立５に設けたガイドレール１４に沿って上下動自在に装着したので、シャッタースラット４１を開き雨戸１３に係りなく上下動して正面部からの採光あるいは遮光を行うことができる。また、引き違い障子１１を開けてつまみ５４をばね５２の力に抗して下に押すことにより、止め具５５を下枠１０に設けた係止孔５７との係合を解き、続いてつまみ５４を外側に押すことにより、アーム３８を介して開き雨戸１３が外側に開くことができ、最大に開いた状態において、止め具５５の位置が係止孔５６の位置に合致し、つまみ５４がばね５２の力によって押し上げられ、止め具５２が係止孔５６に嵌め込まれ、開き雨戸１３が開きの状態に固定される。開き雨戸１３を閉じる場合は逆の操作を行う。
【００２４】
なお、障害物等により、開き雨戸１３が全開できない場所に出窓が取付けられた場合、開き雨戸１３の開き角度が自在に変えられるように、下枠１０の上面における係止孔５６、５７を結ぶ線上にＶ字形の断面形状を有する溝を設けしておき、その溝上の任意の箇所に係止孔が空けられるようにしている。
【００２５】
このように、シャッタースラット４１の上下動による正面部の開閉と、開き雨戸１３の開閉による側面部の開閉をそれぞれ単独で行うことができる。従って、住宅が近接している場合、正面部のシャッタースラット４１を降ろして閉じ、側面部の開き雨戸１３のみを開くことにより、側面部からのみの採光を行うことが可能となり、室内を覗かれることなく採光を行うことができる。また、近接住宅の配置や隣家の部屋の対面状況に応じて、上記とは逆に、正面部のシャッタースラット４１を上げて正面部を開き、側面部の開き雨戸１３を閉じることも可能であり、プライバシー保護の上で自在な態様の開閉状態を得ることができる。また、雨天時には正面のシャッタースラット４１を下げ、正面部を閉じて側面部の開き雨戸１３を開くことにより、嵌め殺し窓８により側面部からの雨の降り込みを防止した状態で採光を行うことができる。
【００２６】
また、本実施例においては、ブラケット受け３１が袖部３０に正確に位置決めされ、従ってブラケット３２も正確な位置にセットされているので、シャッターボックス３を中屋根２に対して正確に位置にセットできる。また、シャッターボックス３がブラケット３２に仮止めされるので、シャッターボックス３の取付けが容易となる。
【００２７】
このように、出窓の屋根が、中屋根２と、その上のシャッターボックス３とからなる２重構造とすることにより、たとえ上屋根であるシャッターボックス３からの漏水が生じたとしても、中屋根２でその漏水が受け止められ、中屋根の傾斜面に沿って出窓の外側へと流下するので、漏水の天板等への流下が防止され、防水性が向上する。また、本実施例のように、中屋根２の側面部とシャッターボックス３の側面部との間に図８（Ａ）、図９に示すような水切り３５を設けることにより、シャッターボックス３の側面部やその上部から浸入する雨水は、図９の矢印３６で示すような、溝３５ａ、３５ｂを通して外部に流下するため、シャッターボックス内に雨水が滞ることなくスムーズに外部に排出される。また、シャッターボックス３と中屋根２との間に空間部が形成されることにより、断熱性が向上する。
【００２８】
なお、中屋根２とシャッターボックス３とを一体に組み合わせて同時に取付ける構造も可能であるが、本発明のように、屋根部を中屋根２とシャッターボックス３に２分割された２重構造にすると、中屋根２とシャッターボックス３とを一体的に構成する場合に比較し、各部品が軽量化され、取扱いが容易になると共に、比較的重量のあるボックスが後付けされるため、施工が容易となる。また、シャッターボックス３を取付けない構造にもそのままあるいは若干の変更のみで簡単に変換できる。
【００２９】
さらに本実施例においては、図３に示すように、アーム３８をくの字形に形成し、その折れ角を出窓の正面部と側面部とのなす角度（いずれもθで示す。）にほぼ一致させているので、開き雨戸１３を２点鎖線に示すように閉じた状態においては、アーム３８を下枠７、１０に沿ってその内部あるいは下に納めて見えなくすることができ、外観が向上する。また、下枠７、１０とアーム３８とが干渉することがない。また、下枠１０に摺動体４８のガイド部材を設けてもよいが、本実施例のように、下枠１０自体にガイド部４７を形成することにより、別部材を要することがなく、部品点数が減少する。
【００３０】
また、シャッタースラット４１の全閉時のシャッタースラット４１の位置より室内側に操作部（つまみ５４）を設けることにより、操作部が目立たたず、かつ、正面のシャッタースラット４１を閉めたままでも開き雨戸１３の開閉が可能である。
【００３１】
また、開き雨戸１３の開閉操作機構としては、上記例以外に、図１６（Ａ）の平面図および同（Ｂ）の側面図に示すように、下枠７に固定したブラケット７２に軸７０を回動自在に支持させ、該軸７０に操作レバー７１を固定すると共に、第１のアーム７３の一端側を軸７０に固定し、一方、開き雨戸１３の下框１３ｃに固定するブラケット７４には、リベット７５により第２のアーム７６の一端を回動自在に連結し、これらのアーム７３、７６の他端をリベット７７により相互に回動自在に、かつ軸７０とリベット７５と７７とが３角形をなすように連結し、操作レバー７１を回して軸７０を回すことにより、アーム７３、７６を介して開き雨戸１３が開閉されるように構成してもよい。この場合、ブラケット７２に突部あるいは凹部からなる係止部ｃ、ｄを設け、操作レバー７１に係止爪７１ａを設け、閉じ、開きの各状態において、係止爪７１ａがそれぞれ係止部ｃ、ｄに係止されるようにして開き雨戸１３のガタ付きを防止することが好ましい。
【００３２】
また、図１、図４、図６の対比から分かるように、シャッタースラット４１と開き雨戸１３のパネル１３ｂの意匠を同じとすることにより、外観が向上する。さらにまた、シャッタースラット４１の室外側面の色と開き雨戸１３の室外側面の色とを同一とすることにより、まとまりのある外観を与え、また、開き雨戸１３の室外側面の色と室内側の面を同一とすることにより、開き雨戸１３を開いた状態と閉じた状態とで開き雨戸１３の外観を同じとすることができ、開き雨戸１３の開閉に係らず、シャッタースラット４１を含めてまとまりのある外観を与えることができる。また、シャッタースラット４１の室内側の面は明色とすることにより、シャッタースラット４１を降ろした状態において、室内側から見た感じが明るい感じを与えるようにすることが好ましい。
【００３３】
本発明は、出窓本体１の正面部に、障子が横軸または縦軸中心に回動することにより開閉される縦開きまたは横開き窓を取付ける場合、あるいは辷り出し窓等を取付ける場合にも適用できる。また、本発明を実施するに当たり、シャッターボックス３を出窓の下側に設けたり、出窓下部に収納ボックスを設けたりする場合にも適用でき、また、開き雨戸１３は方立５側を支点として回動するように構成してもよい。さらに、シャッターボックス３、各枠４、６、７、９、１０、方立５、嵌め殺し窓８、開き雨戸１３、ガイドレール１４、シャッタースラット４１等の具体的構造やこれらの組み合わせ等について、上記実施例に限らず、種々に変更可能である。
【００３４】
【発明の効果】
請求項１によれば、中屋根と、該中屋根上にあって巻胴を収容したシャッターボックスとの２重構造の屋根を有し、前記中屋根は、出窓本体の正面部および両側面部の各上枠から、出窓本体の躯体への取付部にわたって覆う構造を有するため、防水性、断熱性が向上する。
【００３５】
請求項２よれば、さらに、中屋根と前記シャッターボックスとが別体をなし、中屋根に対してシャッターボックスが後付けされるため、施工が容易となる。また、シャッターボックスを取付けない構造にもそのままあるいは若干の変更のみで簡単に変換できる。
【００３６】
請求項３によれば、さらに、中屋根の両側部における中屋根とシャッターボックスとの間に、両者間に浸入した雨水を外部に流下させる水切りを設けたので、シャッターボックスの側面部やその上部から浸入する雨水は水切りを通して外部に排出されるため、シャッターボックス内に水が溜まることなく、スムーズに外部に排出される。
【００３７】
請求項４によれば、さらに、中屋根の両側の躯体への取付け用袖部に、ブラケット受けを設け、該ブラケット受けに、シャッターボックス取付け用係止片を有するブラケットを嵌め込み、該ブラケットの係止片に、シャッターボックスの躯体への取付け部に設けた係止部を係止させてシャッターボックスを躯体に位置決めするようにしたので、ブラケット受けが袖部に正確に位置決めされ、従ってブラケットも正確な位置にセットされるので、シャッターボック３を中屋根に対して正確に位置にセットできる。また、シャッターボックスがブラケットに仮止めされるので、シャッターボックスの取付けが容易となる。
【図面の簡単な説明】
【図１】本発明による出窓の一実施例を示す斜視図である。
【図２】該実施例の出窓の分解斜視図である。
【図３】該実施例の出窓の片側部分を示す横断面図である。
【図４】該実施例の出窓の側面部の縦断面図である。
【図５】該実施例の出窓の正面部の横断面図である。
【図６】該実施例の出窓の正面部の縦断面図である。
【図７】該実施例の出窓の屋根の縦断面図である。
【図８】（Ａ）は該実施例のシャッターボックスの取付け構造を示す分解斜視図、（Ｂ）はそのブラケット受けの取付け構造を示す斜視図である。
【図９】該実施例のシャッターボックスの取付け構造および水切りの取付け構造を示す斜視図である。
【図１０】該実施例のアームの取付け構造を示す斜視図である。
【図１１】（Ａ）はアームの平面図、（Ｂ）、（Ｃ）はそれぞれそのアームの両端部の側面図、（Ｄ）は（Ｂ）のＥ−Ｅ断面図である。
【図１２】該実施例の下枠におけるアームの操作部の取付け構造を示す縦断面図である。
【図１３】該実施例の下枠の開き雨戸の操作部を示す平面図である。
【図１４】（Ａ）は該実施例の開き雨戸のピボットの構造を示す端面図、（Ｂ）はその底面図である。
【図１５】（Ａ）は該実施例のピボットの分解斜視図、（Ｂ）はその正面図、（Ｃ）はその側面図である。
【図１６】（Ａ）、（Ｂ）はそれぞれ本発明による開き雨戸の開閉操作機構の他の例を示す平面図および側面図である。
【符号の説明】
１：出窓本体、２：中屋根、３：シャッターボックス、４：縦枠、５：方立、６：上枠、７：下枠、８：嵌め殺し窓、９：上枠、１０：下枠、１２：ピボット、１３：開き雨戸、１４：ガイドレール、３１：ブラケット受け、３２：ブラケット、３２ａ、３２ｂ：係止片、３４：取付け片、３４ａ、３４ｂ：係止部、３５：水切り、３８：アーム、４０：巻胴、４１：シャッタースラット、４７：ガイド部、４８：摺動体、５０：コマ、５２：ばね、５３：Ｌ字形金具、５４：つまみ、５５：止め具、５６、５７：係止孔、５８：ガイド溝